(57)【要約】【課題】成形の際の樹脂の流れを均一にして、高精度な複合対物レンズを提供すること。【解決手段】光ピックアップ装置用の複合対物レンズ１０は、第１及び第２対物レンズ部１、２が並列的に配置されており、ゲート４が、各対物レンズ部１、２が並ぶ連設方向に配置され、各対物レンズ部１、２の光軸方向から見た外形形状が、ゲート４側の一端から互いに離れるように広がる第１曲線部１４ａ、１４ｂと、ゲート４の反対側の他端に位置し、直線ＣＬに垂直な第１直線部１１と、第１曲線部１１と第１直線部１１との間にあって、第１曲線部１４ａ、１４ｂのそれぞれ一方に連続し、直線ＣＬに平行な第２直線部１３ａ、１３ｂとを備える。これにより、複合対物レンズ１０にウェルド等がほとんど生じず、複合対物レンズ１０の外観不良を抑制することができる。また、あわせて複合対物レンズ１０を高精度とすることができる。【選択図】図１
2008234740.tif 000002
【特許請求の範囲】
【請求項１】
２つの対物レンズ部が並列的に配置されるように前記２つの対物レンズ部を射出成形によって一体成形した光ピックアップ装置用の複合対物レンズであって、
射出成形の際に形成されるゲートが、前記２つの対物レンズ部に対して前記２つの対物レンズ部が並ぶ連設方向に配置され、
前記２つの対物レンズ部の光軸方向から見た外形形状が、
前記ゲート側の一端から互いに離れるように広がる２つの第１曲線部と、
前記ゲートの反対側の他端に位置し、前記２つの対物レンズ部の各中心を結ぶ直線に垂直な第１直線部と、
前記２つの第１曲線部と前記第１直線部との間にあって、前記２つの第１曲線部のそれぞれ一方に連続し、前記２つの対物レンズ部の各中心を結ぶ直線に平行な２つの第２直線部とを備えることを特徴とする複合対物レンズ。
【請求項２】
前記２つの第１曲線部は、前記２つの対物レンズ部の各中心を結ぶ直線に対して互いに対称な曲線であることを特徴とする請求項１記載の複合対物レンズ。
【請求項３】
前記第１直線部と前記２つの第２直線部とは、２つの第２曲線部を介して接続されていることを特徴とする請求項１及び請求項２のいずれか一項記載の複合対物レンズ。
【請求項４】
前記第１直線部と前記２つの第２直線部との間のそれぞれに、エアベントによる樹脂バリを形成したことを特徴とする請求項１から請求項３までのいずれか一項記載の複合対物レンズ。
【請求項５】
前記２つの第１曲線部は、前記２つの対物レンズ部の各中心を結ぶ線分上の点を中心とする円の一部であることを特徴とする請求項１から請求項４までのいずれか一項記載の複合対物レンズ。
【請求項６】
光源と、請求項１から請求項５までのいずれか一項記載の複合対物レンズとを備えたことを特徴とする光ピックアップ装置。
【発明の詳細な説明】
【技術分野】
【０００１】
本発明は、高精度な複合対物レンズ、並びに、かかる複合対物レンズを組み込んだ光ピックアップ装置に関する。
【背景技術】
【０００２】
これまで、ＣＤ（コンパクト・ディスク）、ＤＶＤ（デジタル・バーサタイル・ディスク）等の光情報記録媒体に対して情報の再生・記録を行うための各種光ピックアップ装置が開発、製造され、一般に普及している。なお、「情報の再生・記録」とは、情報についての再生及び／又は記録を意味する。かかる光ピックアップ装置に組み込まれる対物レンズとして、複数のレンズ素子を合体して一体成形した複合対物レンズが存在し、この場合、複数の対物レンズを備える複合対物レンズが一体成形によって小型化され組立工程も簡単なものとなる（例えば、特許文献１参照）。
【特許文献１】特開平９−１１５１７０号公報
【発明の開示】
【発明が解決しようとする課題】
【０００３】
しかし、複合対物レンズの成形の際、金型に樹脂が均一に流入しないと、対物レンズの精度が低下したり、ウェルド（樹脂流動の合流部）が発生したりする。ウェルドは、通常光学面に影響がない部分に発生するため、光学的性能に関して問題がないが、ウェルド部では機械強度が低下するため、耐衝撃性、耐熱性が劣化するおそれがある。
【０００４】
そこで、本発明は、成形の際の樹脂の流れを均一にして、高精度な複合対物レンズを提供することを目的とする。
【０００５】
また、上記複合対物レンズを組み込んだ光ピックアップ装置を提供することを目的とする。
【課題を解決するための手段】
【０００６】
上記課題を解決するため、本発明にかかる光ピックアップ装置用の複合対物レンズは、（ａ）２つの対物レンズ部が並列的に配置されるように２つの対物レンズ部を射出成形によって一体成形した光ピックアップ装置用の複合対物レンズであって、（ｂ）射出成形の際に形成されるゲートが、２つの対物レンズ部に対して２つの対物レンズ部が並ぶ連設方向に配置され、（ｃ）２つの対物レンズ部の光軸方向から見た外形形状が、ゲート側の一端から互いに離れるように広がる２つの第１曲線部と、（ｄ）ゲートの反対側の他端に位置し、２つの対物レンズ部の各中心を結ぶ直線に垂直な第１直線部と、（ｅ）２つの第１曲線部と第１直線部との間にあって、２つの第１曲線部のそれぞれ一方に連続し、２つの対物レンズ部の各中心を結ぶ直線に平行な２つの第２直線部とを備えることを特徴とする。
【０００７】
上記複合対物レンズでは、その外形形状をゲート側の一端で広がり、ゲートの反対側の他端で矩形に近いものにすることにより、金型のゲートから樹脂を流入させた際に複合対物レンズとなるキャビティ内に樹脂を均一に流入させることができる。これにより、複合対物レンズにウェルド等がほとんど生じず、複合対物レンズの外観不良を抑制することができる。また、あわせて複合対物レンズを高精度とすることができる。
【０００８】
本発明の具体的な態様によれば、２つの第１曲線部は、２つの対物レンズ部の各中心
を結ぶ直線に対して互いに対称な曲線であることを特徴とする。この場合、複合対物レンズの形状を両対物レンズが並ぶ連設方向を挟んで対称とすることになり、樹脂の流入を均一にすることができる。
【０００９】
本発明の別の態様によれば、第１直線部と２つの第２直線部とは、２つの第２曲線部を介して接続されていることを特徴とする。この場合、第１直線部と２つの第２直線部とを２つの第２曲線部で結ぶことにより、２つの第２直線部を含む領域に対応するキャビティ部分に均一に流入した樹脂を、ゲートの反対側である第１直線部及びその近傍を含む領域に対応するキャビティ部分へ流入させる際に、樹脂の流入に乱れが生じるのを抑制することができる。また、ゲートの反対側の第１直線部の両端を角部とすることなく、第２曲線部によって丸みをもたせることとなるため、複合対物レンズを金型から取り出す際にその部分が引っかかることを防止し外観や光学性能の劣化を抑制して、容易な取り出しを可能にすることができる。
【００１０】
本発明の別の態様によれば、第１直線部と２つの第２直線部との間のそれぞれに、エアベントによる樹脂バリを形成したことを特徴とする。この場合、樹脂を流入させる際にキャビティ内にある空気をエアベントに逃がすことによって、複合対物レンズに気泡等が生じ、外観不良となることを抑制することができる。
【００１１】
本発明の別の態様によれば、２つの第１曲線部は、２つの対物レンズ部の各中心を結ぶ線分上の点を中心とする円の一部であることを特徴とする。この場合、複合対物レンズの形状において、ゲート側を円形にすることになり、キャビティ内に流入し、キャビティ内を充填する樹脂の先頭が第１直線部に略平行となり、均一に樹脂を流入させることができる。
【００１２】
本発明にかかる光ピックアップ装置は、光源と、上述の複合対物レンズとを備えたことを特徴とする。この場合、上述の光学素子によって、高精度で情報の再生及び／又は記録可能になる。
【発明を実施するための最良の形態】
【００１３】
（１）複合対物レンズ
本発明の一実施形態である複合対物レンズについて、図面を参照しつつ説明する。なお、図１（Ａ）は、複合対物レンズを説明する平面図であり、図１（Ｂ）は、図１（Ａ）の複合対物レンズの断面図である。また、図２（Ａ）は、複合対物レンズの裏面図であり、図２（Ｂ）は、図２（Ａ）の複合対物レンズの側面図であり、図２（Ｃ）は、図２（Ａ）の複合対物レンズの正面図である。
【００１４】
図１及び図２に示す複合対物レンズ１０は、コリメートされた状態で入射する光束を比較的小径のスポットとして集光する第１対物レンズ部１と、コリメートされた状態で入射する光束を比較的大径のスポットとして集光する第２対物レンズ部２と、第１及び第２対物レンズ部１、２を周囲から支持する外枠部３とを有する。複合対物レンズ１０は、例えばプラスチック材料から一括して成形された単一の部品であり、第１及び第２対物レンズ部１、２と外枠部３とが一体化されている。ここで、第１及び第２対物レンズ部１、２は平面視において円形の輪郭を有し、外枠部３は第１及び第２対物レンズ部１、２の周囲を囲んだ円形と矩形とを折衷した輪郭を有する。第１及び第２対物レンズ部１、２は、略同一平面内に配置され、各自の光軸ＯＡ１、ＯＡ２は、互いに略平行に揃えられている。なお、複合対物レンズ１０は、外枠部３の外周側面Ｓ１のうち各対物レンズ部１、２の中心を結ぶ直線ＣＬと交差する部分にゲート４をさらに備える。なお、ゲート４は、射出成形の際の樹脂の流入口であり、成形後切断してもよい。また、複合対物レンズ１０は、外枠部３上に射出成形の際のピン突出し用の凹部５と、樹脂流入時のキャビティ用に形成された空間内の空気を抜くためのエアベント６と、各対物レンズ部１、２の外周を囲う対物レンズ部の平行出し用の端面７とをさらに備える。
【００１５】
複合対物レンズ１０は、射出成形の際にゲート４の側面Ｓ２及びゲート４の側面Ｓ２より先の外周側面Ｓ１のいずれかにテーパー面ＴＰが形成されている。テーパー面ＴＰは、各対物レンズ部１、２の像側すなわち、光ディスク側（不図示）の光学面１ｂ、２ｂから光源側（不図示）の光学面１ａ、２ａに向かって外周が細くなる形状となっている。つまり、外枠部３は、−Ｚ側の端面の輪郭の方が＋Ｚ側の端面の輪郭よりもひとまわり小さくなっている。これにより、一般的に光源側の光学面１ａ、２ａが可動金型にて形成されるとき、この可動金型から取り出す際の抵抗を抑えることができ、複合対物レンズ１０を容易に取り出すことができる。
【００１６】
ゲート４は、各対物レンズ部１、２に対して各光軸ＯＡ１、ＯＡ２の垂直方向に設けられる。このゲート４は、各対物レンズ部１、２に対してこれらの連設方向に配置されている。また、ゲート４は、複合対物レンズ１０の側面Ｓ１側の１箇所に形成されることにより、射出成形用の金型製造を簡易にすることができる。また、複数のゲートを設けた場合のウェルドの発生を防止できる。
【００１７】
エアベント６は、ゲート４から最も離れた複合対物レンズ１０の後述する第１直線部１１と２つの第２直線部１３ａ、１３ｂとの間、すなわち２つの第２曲線部１２ａ、１２ｂに対称に設けられている。エアベント６は、複合対物レンズ１０を射出成形する際に、樹脂流入時に押し出された金型のキャビティ内にある空気を金型外に抜く空間である。キャビティ内にある空気をエアベント６に逃がすことによって、キャビティ内に樹脂が均一に流入し、複合対物レンズ１０を均一に成形することができる。つまり、複合対物レンズ１０に気泡等が生じ、外観不良となることを抑制することができる。なお、エアベント６は、複合対物レンズ１０の外枠部３の各直線部１１、１３ａ、１３ｂの延長線が交わる領域ＳＰ内に設けられており、バリ取り加工は不要となっている。
【００１８】
凹部５は外枠部３の−Ｚ側の端面すなわち光源側の端面に２箇所設けられている。この場合、凹部５は、光学面１ａ、２ａを形成するための可動金型側の面により形成される。射出成形した複合対物レンズ１０を金型から取り出す際に光学面１ａを形成する金型部分の突出しと同時に突出しピンが凹部５に当たり、複合対物レンズ１０に均等に力を加えることができ、その当接部に多少変形が生じてもその変形が凹部５内に収まるように凹部５が設けられている。なお、複合対物レンズ１０を金型から取り出す際に、複合対物レンズ１０の全体に比較的均等な力を加えることができれば、凹部５を設ける位置は図示した位置に限られるものではない。
【００１９】
図３は、複合対物レンズ１０の輪郭形状を説明する概念図である。複合対物レンズ１０の輪郭形状となる外枠部３は、２つの第１曲線部１４ａ、１４ｂと、第１直線部１１と、２つの第２直線部１３ａ、１３ｂと、２つの第２曲線部１２ａ、１２ｂとで構成されている。第１曲線部１４ａ、１４ｂは、射出成形の際に形成されるゲート４側の一端側から互いに離れるように広がり、ゲート４の反対側の他端側に位置する。第１直線部１１は、各対物レンズ部１、２の各中心、すなわち光軸ＯＡ１、ＯＡ２を結ぶ直線ＣＬに対して垂直となっている。第２直線部１３ａ、１３ｂは、第１曲線部１４ａ、１４ｂと第１直線部１１との間にあり、第１曲線部１４ａ、１４ｂのそれぞれ一方に連続し、直線ＣＬに平行となっている。第２曲線部１２ａ、１２ｂは、第１直線部１１と第２直線部１３ａ、１３ｂとを結ぶ。なお、第１曲線部１４ａ、１４ｂは、直線ＣＬに対して対称な曲線となっている。また、第１曲線部１４ａ、１４ｂは、直線ＣＬ上の点ＣＣを中心とする円Ｃ１の一部となっている。これにより、樹脂の流れが対称となり、流入する樹脂の先頭が第１直線部１１に略平行となり、均一に樹脂を流入させることができる。
【００２０】
図４（Ａ）は、複合対物レンズ１０に対応するキャビティと、キャビティ内の樹脂の流れとを説明する図である。また、図４（Ｂ）は、図４（Ａ）との比較のための図であり、図４（Ａ）の第１直線部１１１にゲートを設けており、樹脂の流れが不安定な状態である例である。ここで、図４（Ａ）のキャビティの輪郭を構成する各曲線部１１２ａ、１１２ｂ、１１４ａ、１１４ｂ及び各直線部１１１、１１３ａ、１１３ｂは、複合対物レンズ１０の各曲線部１２ａ、１２ｂ、１４ａ、１４ｂ及び各直線部１１、１３ａ、１３ｂにそれぞれ対応する。また、図４（Ｂ）のキャビティの輪郭の形状は、曲線部２１１、２１２ａ、２１２ｂと、コーナー部２１４ａ、２１４ｂと、直線部２１３ａ、２１３ｂとで構成されている。なお、破線ＲＦ１、ＲＦ２はある瞬間の樹脂の先頭を示す。
【００２１】
以下、樹脂の流れについて説明する。図４（Ａ）において、ゲート４から流入した樹脂は、第１曲線部１１４ａ、１１４ｂに囲まれた空間内を横に広がりながら流入していく。このとき、樹脂の先頭ＲＦ１は、第１対物レンズ部１付近で直線ＣＬに垂直な第１直線部１１１に略平行な状態となる。さらに、第２直線部１１３ａ、１１３ｂに囲まれた空間内で、樹脂はこの略平行な状態を保ちつつキャビティ内を充填していく。その後、樹脂はキャビティの形状に沿って流入し、かつキャビティ内に残留していた空気はエアベント６へ押し出されていくので、第２曲線部１２ａ、１２ｂ及び第１直線部１１に囲まれた空間内においても安定して樹脂が充填される。これにより、流入から充填までの樹脂の流れに乱れが生じるのを抑制することができる。
【００２２】
一方、図４（Ｂ）の比較例において、ゲート４から流入した樹脂は、コーナー部２１４ａ、２１４ｂに囲まれた空間内を横に広がりながら流入していくが、このとき、樹脂の先頭ＲＦ２は、第１対物レンズ部１付近で中央が窪んで直線ＣＬ１に垂直な断面に平行な状態とならず、第１対物レンズ部１の周りに広がりながら進んでいく。その後、曲線部２１１、２１２ａ、２１２ｂに囲まれた空間に到達した樹脂は、最終的に曲線部２１１と直線ＣＬ１とが交差する付近を充填していく状態となり、樹脂の流入に乱れが生じる。これにより、直線ＣＬ１付近に略沿ってウェルドが発生し、その結果、複合対物レンズ１０の機械強度が低下し、耐衝撃性、耐熱性が劣化する。
【００２３】
以上の説明から明らかなように、本実施形態の複合対物レンズ１０では、ゲート４側の一端側が広がり、ゲート４の反対側の他端側が矩形に近い形状にすることにより、ゲート４から樹脂を注入する際に複合対物レンズ１０の金型となるキャビティ内に均一に流入させることができる。これにより、複合対物レンズ１０にウェルド等がほとんど生じず、複合対物レンズ１０の外観不良を抑制することができる。また、あわせて複合対物レンズ１０を高精度とすることができる。
【００２４】
本実施形態の複合対物レンズ１０は、情報の再生、若しくは記録に用いられるものであって、第１及び第２対物レンズ部１、２のうち、最も小さいスポット径を形成するための第１対物レンズ部１が、射出成形のゲート側に最も近い位置に設けられていることにより、第１対物レンズ部１を安定して成形することができる。よって、第１対物レンズ部１の収差性能が悪化することを防ぐことができ、スポット径が最も小さく高性能が要求される第１対物レンズ部１を容易に実現できる。また、第２対物レンズ部２は、ゲート４と第１対物レンズ部１の中心とを結ぶ直線ＣＬ上に配置され第１対物レンズ部１よりもスポット径が大きくなる。また、第２対物レンズ部２を直線ＣＬ上に配置することにより、ゲート４からの樹脂の流れが一様になるので、第２対物レンズ部２の収差性能の悪化を防ぐことができる。
【００２５】
一方、第２対物レンズ部２は、第１対物レンズ部１と比べて成形性上で不利となる可能性があるが、要求される光学性能が第１対物レンズ部１よりも低く、変形してもその影響が小さいので問題となる可能性が低い。また、光学性能への影響の程度が比較的低いので事前に変形を見込んで金型を製作することも可能である。
【００２６】
以上説明した複合対物レンズ１０は、複数種の光ディスクのいずれの光ディスクに対して情報の再生・記録を行うかによって、各対物レンズ部１、２のうち、それに対応する対物レンズ部が選択使用される。すなわち、第１対物レンズ部１によって、入射光を比較的小さいスポット径で不図示の光ディスク中に設けられた情報記録面に集光することができ、第２対物レンズ部２によって、入射光を比較的大きいスポット径で別タイプの光ディスク中に設けられた情報記録面に集光することができる。
【００２７】
以下、第１及び第２対物レンズ部１、２の機能について説明する。図５は、複合対物レンズ１０を通過する光束を説明する側面図である。第１対物レンズ部１は、ＢＤ用の波長４０５ｎｍ或いは４０８ｎｍ程度のレーザ光を対象として設計されている。つまり、図５に示すように、第１対物レンズ部１の光源側面１ａ側から例えば光軸ＯＡ１に沿って光軸ＯＡ１に平行な波長４０５ｎｍのレーザ光束が入射すると、第１対物レンズ部１の光ディスク側面１ｂ側からレーザ光束が射出されるが、このレーザ光束は、光軸ＯＡ１上の焦点位置Ｆ１（不図示のＢＤの情報記録面上）に集光し、ここに比較的小さな集光スポットを形成する。
【００２８】
一方、第２対物レンズ部２は、ＤＶＤ用の波長６５５ｎｍのレーザ光及びＣＤ用の波長７８０ｎｍのレーザ光を対象として設計されている。つまり、図５に示すように、第２対物レンズ部２の光源側面２ａ側から例えば光軸ＯＡ２に沿って光軸ＯＡ２に平行な波長６５５ｎｍのレーザ光束が入射すると、第２対物レンズ部２の光ディスク側面２ｂ側から波長６５５ｎｍのレーザ光束が射出されるが、このレーザ光束は、光軸ＯＡ２上の焦点位置Ｆ２（不図示のＤＶＤの情報記録面上）に集光し、ここに比較的大きな集光スポットを形成する。また、第２対物レンズ部２の光ディスク側面２ａ側から例えば光軸ＯＡ２に平行な波長７８０ｎｍのレーザ光束が入射すると、第２対物レンズ部２の光ディスク側面２ｂ側から波長７８０ｎｍのレーザ光束が射出されるが、このレーザ光束は、光軸ＯＡ２上の焦点位置Ｆ３（不図示のＣＤの情報記録面上）に集光し、ここにＤＶＤの集光スポットよりもさらに大きい集光スポットを形成する。
【００２９】
（２）光ピックアップ装置
図６は、図１の複合対物レンズ１０を組み込んだ光ピックアップ装置の光学系の構成を概略的に示す図である。
【００３０】
この光ピックアップ装置において、各半導体レーザ８１Ａ、８１Ｂからのレーザ光は、共用の対物レンズアクチュエータ２００を介して光ディスクＤＢ、ＤＤ（又はＤＣ）にそれぞれ集光され、各光ディスクＤＢ、ＤＤ（又はＤＣ）からの反射光は、共用の対物レンズアクチュエータ２００を介し、最終的に各光検出器８７Ａ、８７Ｂにそれぞれ導かれる。
【００３１】
ここで、第１半導体レーザ８１Ａは、第１光ディスクＤＢの情報再生用のレーザ光（具体的には、ＢＤ用の波長４０５ｎｍ）を発生し、このレーザ光は、対物レンズアクチュエータ２００に設けた複合対物レンズ１０の第１対物レンズ部１で集光され、ＮＡ０．８５相当のスポットが情報記録面ＭＢ上に形成される。第２半導体レーザ８１Ｂは、２波長型のレーザダイオードであり、第２光ディスクＤＤと第３光ディスクＤＣの情報再生用のレーザ光（具体的には、ＤＶＤ用の波長６５５ｎｍ、又はＣＤ用の波長７８０ｎｍ）を発生し、その後レーザ光は、第２対物レンズ部２で集光され、ＮＡ０．６５（又はＮＡ０．５３）相当のスポットが情報記録面ＭＤ（又はＭＣ）上に形成される。
【００３２】
一方、第１光検出器８７Ａは、第１光ディスクＤＢ（具体的にはＢＤ）に記録された情報を光信号として検出し、第２光検出器８７Ｂは、第２光ディスクＤＤ（具体的にはＤＶＤ）又は第３光ディスクＤＣ（具体的にはＣＤ）に記録された情報を光信号として検出する。
【００３３】
以下、図６の光ピックアップ装置の詳細な構造や具体的な動作について説明する。まず第１光ディスクＤＢを再生する場合、第１半導体レーザ８１Ａから例えば波長４０５ｎｍのレーザ光が出射され、出射された光束は、ビームシェーパやコリメータレンズからなるコリメータ系８２Ａにより平行光束となる。この光束は、トラッキング用信号の検出に使用するサブビームスポットを生成するためのグレーティング８３Ａ、偏光ビームスプリッタ８４Ａ、ダイクロイックプリズム８４Ｃを透過し、さらにビームエキスパンダ８４Ｇ、１／４波長板８８Ｂを透過し、ダイクロイックプリズム８４Ｄに入射する。入射した光束は面８４Ｄａで反射され、第１対物レンズ部１を介して、第１光ディスクＤＢの情報記録面ＭＢに集光される。
【００３４】
情報記録面ＭＢでピットや記録マークにより変調されて反射された光束は、再び第１対物レンズ部１等を透過して、ダイクロイックプリズム８４Ｃ等を経て偏光ビームスプリッタ８４Ａに入射し、ここで反射されてサーボレンズ８５Ａにより非点収差が与えられ、第１光検出器８７Ａ上へ入射し、その出力信号を用いて、第１光ディスクＤＢに記録された情報の読み取り信号が得られる。
【００３５】
また、第１光検出器８７Ａ上でのスポットの形状変化、位置変化による光量変化を検出して、合焦（フォーカス）検出やトラック検出を行う。この検出に基づいて、対物レンズアクチュエータ２００に設けた不図示の磁気回路部が、第１半導体レーザ８１Ａからの光束を第１光ディスクＤＢの情報記録面ＭＢ上に結像させるように、複合対物レンズ１０すなわち第１対物レンズ部１を光軸方向に移動させるとともに、この第１半導体レーザ８１Ａからの光束を所定のトラックに結像するように、同第１対物レンズ部１を光軸に垂直な方向に移動させる。
【００３６】
次に、第２光ディスクＤＤを再生する場合、第２半導体レーザ８１Ｂから例えば波長６５５ｎｍのレーザ光が出射され、出射された光束は、コリメータ系８２Ｂにより平行光束となる。この光束は、トラッキング用信号の検出に使用するサブビームスポットを生成するためのグレーティング８３Ｂ、偏光ビームスプリッタ８４Ｂを透過し、ダイクロイックプリズム８４Ｃで反射され、ビームエキスパンダ８４Ｇ、１／４波長板８８Ｂを通過し、ダイクロイックプリズム８４Ｄに入射する。入射した光束は、面８４Ｄａを透過し、面８４Ｄｂで反射されて、複合対物レンズ１０のうち対応する第２対物レンズ部２を介して第２光ディスクＤＤの情報記録面ＭＤに集光される。
【００３７】
情報記録面ＭＤでピットや記録マークにより変調されて反射された光束は、再び第２対物レンズ部２を透過して、ダイクロイックプリズム８４Ｄ、ビームエキスパンダ８４Ｇ等を通過した後、ダイクロイックプリズム８４Ｃで反射され、さらに偏光ビームスプリッタ８４Ｂで反射される。反射された光束は、サーボレンズ８５Ｂにより非点収差が与えられ、第２光検出器８７Ｂ上へ入射し、その出力信号を用いて、第２光ディスクＤＤに記録された情報の読み取り信号が得られる。また、第１光ディスクＤＢの場合と同様、第２光検出器８７Ｂ上でのスポットの形状変化、位置変化による光量変化を検出して、合焦検出やトラック検出を行い、対物レンズアクチュエータ２００に設けた不図示の磁気回路部により、フォーカシング及びトラッキングのため、複合対物レンズ１０すなわち第２対物レンズ部２を移動させる。
【００３８】
次に、第３光ディスクＤＣを再生する場合、第２半導体レーザ８１Ｂから例えば波長７８０ｎｍのレーザ光が出射され、出射された光束は、コリメータ系８２Ｂにより平行光束となる。この光束は、トラッキング用信号の検出に使用するサブビームスポットを生成するためのグレーティング８３Ｂ、偏光ビームスプリッタ８４Ｂを透過し、ダイクロイックプリズム８４Ｃで反射され、ビームエキスパンダ８４Ｇ、１／４波長板８８Ｂを通過し、ダイクロイックプリズム８４Ｄに入射する。入射した光束は、面８４Ｄａを透過し、面８４Ｄｂで反射されて、複合対物レンズ１０のうち対応する第２対物レンズ部２を介して第３光ディスクＤＣの情報記録面ＭＣに集光される。
【００３９】
情報記録面ＭＣでピットや記録マークにより変調されて反射された光束は、再び第２対物レンズ部２を透過して、ダイクロイックプリズム８４Ｄ、ビームエキスパンダ８４Ｇ等を通過した後、ダイクロイックプリズム８４Ｃで反射され、さらに偏光ビームスプリッタ８４Ｂで反射される。反射された光束は、サーボレンズ８５Ｂにより非点収差が与えられ、第２光検出器８７Ｂ上へ入射し、その出力信号を用いて、第３光ディスクＤＣに記録された情報の読み取り信号が得られる。また、第２光ディスクＤＤの場合と同様、第２光検出器８７Ｂ上でのスポットの形状変化、位置変化による光量変化を検出して、合焦検出やトラック検出を行い、対物レンズアクチュエータ２００に設けた不図示の磁気回路部により、フォーカシング及びトラッキングのために、複合対物レンズ１０すなわち第２対物レンズ部２を移動させる。
【００４０】
なお、以上は各光ディスクＤＢ、ＤＤ（又はＤＣ）から情報を再生する場合の説明であったが、各半導体レーザ８１Ａ、８１Ｂの出力を調整すること等により、各光ディスクＤＢ、ＤＤ（又はＤＣ）に情報を記録することもできる。
【００４１】
また、上記実施形態では、第１対物レンズ部１によりＢＤに対する情報の再生・記録を行い、第２対物レンズ部２によりＤＶＤ及びＣＤに対する情報の再生・記録を行っているが、第１対物レンズ部１によりＢＤに対する情報の再生・記録を行い、第２対物レンズ部２によりＨＤ  ＤＶＤ、ＤＶＤ及びＣＤに対する情報の再生・記録を行う実施形態とすることもできる。逆に、第１対物レンズ部１によりＨＤ  ＤＶＤに対する情報の再生・記録を行い、第２対物レンズ部２によりＢＤやＤＶＤ、ＣＤに対する情報の再生・記録を行う実施形態とすることもできる。さらに、第１対物レンズ部１によりＤＶＤに対する情報の再生・記録を行い、第２対物レンズ部２によりＣＤに対する情報の再生・記録を行う実施形態とすることもできる。また、その他に各種の組み合わせができることはもちろんである。
【００４２】
以上実施形態に即して本発明を説明したが、本発明は、上記実施形態に限定されるものではなく、様々な変形が可能である。例えば、上記実施形態では、第１直線部１１と第２直線部１３ａ、１３ｂとの間に第２曲線部１２ａ、１２ｂを設けたが、第２曲線部１２ａ、を設けなくてもよい。ただし、この場合、エアベント６を樹脂の流入に乱れが生じないような部位に設ける必要がある。また、複合対物レンズ１０を角ばった状態にすると、複合対物レンズ１０を金型から取り出す際に、円形等の丸み（Ｒ）すなわち円形等の曲率を有する輪郭に比べ、取り出しにくくなる。
【００４３】
上記実施形態では、光ピックアップ装置において、複合対物レンズ１０を移動させることなくレンズ切り替えを行っているが、複合対物レンズ１０を対物レンズアクチュエータ２００等で光軸に垂直な方向に移動させてレンズ切り替えを行うこともできる。この場合、複合対物レンズ１０を構成する各対物レンズ部１、２に個別にレーザ光を導くための光学系を設けたり、複合対物レンズ１０に至る光路上にミラー等の光路切り替え手段を設けたりすることができる。
【図面の簡単な説明】
【００４４】
【図１】図１（Ａ）は、実施形態の複合対物レンズの平面図であり、図１（Ｂ）は、複合対物レンズの断面図である。
【図２】図２（Ａ）は、図１（Ａ）の反対側から見た裏面図であり、図２（Ｂ）は、図２（Ａ）の側面図であり、図２（Ｃ）は、図２（Ａ）の正面図である。
【図３】図１に示す複合対物レンズの輪郭形状を説明する図である。
【図４】図４（Ａ）は、図１に示す複合対物レンズに対応するキャビティ内の樹脂の流れを説明する図であり、図４（Ｂ）は、図４（Ａ）との比較を説明する図である。
【図５】図１に示す複合対物レンズ周辺の光束を説明する側面図である。
【図６】図１に示す複合対物レンズを組み込んだ光ピックアップ装置の構成を示す図である。
【符号の説明】
【００４５】
１０…複合対物レンズ、  １…第１対物レンズ部、  ２…第２対物レンズ部、  ３、２０３…外枠部、  ４…ゲート、  ５…凹部、  ６…エアベント、  ７…端面、  ＴＰ…テーパー面、  １４ａ、１４ｂ、１１４ａ、１１４ｂ…第１曲線部、  １２ａ、１２ｂ、１１２ａ、１１２ｂ…第２曲線部、  １１、１１１…第１直線部、  １３ａ、１３ｂ、１１３ａ、１１３ｂ…第２直線部
【図１】
2008234740.tif 000003
【図２】
2008234740.tif 000004
【図３】
2008234740.tif 000005
【図４】
2008234740.tif 000006
【図５】
2008234740.tif 000007
【図６】
2008234740.tif 000008